(57)【特許請求の範囲】
【請求項１】
壁掛け用の取付部を有する平面状の第一面と
前記第一面から立設する第二面と、
前記第二面に設けられ、電力を入出力する為のケーブルを挟持可能な鉤状の係合爪部と、
前記第一面から立設し、前記第二面と対向する第三面と、
前記第三面に設けられ、前記ケーブルを前記係合爪部に挟持していない場合に他の充電器の前記係合爪部と嵌合可能な係合凹部と、
前記第二面と前記第三面との間に設けられ、バッテリを着脱可能な装着部と、
前記第一面から立設し、前記第二面と前記第三面との間に設けられた第四面と、
前記第四面に設けられ、前記ケーブルを接続するコネクタと
を備えることを特徴とする充電器。
【請求項２】
前記装着部は、前記第一面から立設し、
前記第四面と対向する第五面と、
前記第五面に設けられ、前記第四面側に凹んだ装着凹部と
を有し、
前記取付部は前記装着部を上方に配置した姿勢で、前記充電器を壁に取り付けることを特徴とする請求項１に記載の充電器。
【請求項３】
前記装着部の前記第一面から離れる側の端部である第一端部から、前記第四面の前記第一面から離れる側の端部であって、前記第一端部よりも前記第一面側にある第二端部にかけて前記第一面側に傾斜する傾斜部を更に備えることを特徴とする請求項２に記載の充電器。
【請求項４】
前記装着凹部は、
前記第一面側に設けられた載置面と、
前記載置面から前記第一面から離れる側に突出する端子と、
前記端子よりも前記第一面から離れる側に突出し、前記充電器に対する装着姿勢が誤った状態で前記バッテリを前記装着部に装着しようとした場合に前記バッテリに当接し、前記バッテリが前記端子と接触することを抑制するリブと
を備えることを特徴とする請求項２又は３に記載の充電器。
【請求項５】
前記取付部は、
前記取付部の一端側に設けられ、壁に設けられた螺子の螺子頭を収容する螺子収容部と、
前記取付部の他端側に設けられ、前記螺子収容部に前記螺子頭を案内する案内部と
を有する取付穴であることを特徴とする請求項１から４の何れかに記載の充電器。
【請求項６】
前記一端側は前記取付部の前記装着部側であり、前記他端側は前記取付部の前記第四面側であり、
前記取付部は、前記装着部から前記第四面に向かう方向に並ぶ２つの前記取付穴を有し、
前記２つの取付穴の内の前記第四面側の前記取付穴の前記螺子収容部は、前記装着部側の前記取付穴の前記螺子収容部よりも、前記装着部から前記第四面に向かう方向の長さが長いことを特徴とする請求項５に記載の充電器。
【発明の詳細な説明】
【技術分野】
【０００１】
本発明は、携帯可能なバッテリへの充電を行う充電器に関する。
【背景技術】
【０００２】
複数の携帯端末の各々のバッテリを一度にまとめて充電する場合に、ＡＣアダプタに接続された充電器に他の充電器を連結させて複数の充電器を一体化可能な充電器が利用されている（例えば、特許文献１参照）。
【先行技術文献】
【特許文献】
【０００３】
【特許文献１】特開２００６−２３００５５号公報
【発明の概要】
【発明が解決しようとする課題】
【０００４】
従来の充電器では、ユーザは、複数の充電器を連結して使用する場合、複数の充電器を連結部材で各々連結した後、ＡＣアダプタと第一の充電器の入力端子とを接続し、第一の充電器の出力端子と第二の充電器の入力端子とをケーブルで接続する。次に、第二の充電器の出力端子と第三の充電器の入力端子とをケーブルで接続する。このように、隣合う充電器同士をケーブルで順次接続してゆくが、ケーブルは、各充電器の底面に設けた止め部に巻き付ける必要があり、ケーブルの処理が煩わしい。
【０００５】
本発明の目的は複数の充電器同士をケーブルで接続して利用する場合のユーザの利便性を向上した充電器を提供することを目的とする。
【課題を解決するための手段】
【０００６】
本発明の一態様に係る充電器は、壁掛け用の取付部を有する平面状の第一面と、前記第一面から立設する第二面と、前記第二面に設けられ、電力を入出力する為のケーブルを挟持可能な鉤状の係合爪部と、前記第一面から立設し、前記第二面と対向する第三面と、前記第三面に設けられ、前記ケーブルを前記係合爪部に挟持していない場合に他の充電器の前記係合爪部と嵌合可能な係合凹部と、前記第二面と前記第三面との間に設けられ、バッテリを着脱可能な装着部と、前記第一面から立設し、前記第二面と前記第三面との間に設けられた第四面と、前記第四面に設けられ、前記ケーブルを接続するコネクタとを備える。
【０００７】
本態様の充電器は係合爪部と係合凹部とを嵌合させるという簡単な操作で、複数の充電器を第二面から第三面に向かう方向及び第三面から第二面に向かう方向（以下連結方向）に連結できる。ユーザは、複数の充電器を連結させた場合、複数の充電器を一体的に取り扱うことができる。ユーザは、複数の充電器を係合爪部と係合凹部とを嵌合させず任意の位置に配置してケーブルで接続する場合、ケーブルを係合爪部に挟持させることで、ケーブルを充電器の周囲に固定できる。ユーザは充電器の周囲にケーブルを固定する場合、ケーブルを係合爪部に挟むという簡単な作業を行うのみでよい。充電器は第一面に取付部を有するので、第一面を壁側にした姿勢で、壁に取り付けて使用できる。第一面は平面状であるので、充電器は机等の水平面に置いて使用できる。ユーザは、所望の連結態様及び姿勢で複数の充電器を連結して使用できる。つまり、充電器は、複数の充電器同士をケーブルで接続して利用する場合のユーザの利便性を向上できる。
【０００８】
本態様の充電器の前記装着部は、前記第一面から立設し、前記第四面と対向する第五面と、前記第五面に設けられ、前記第四面側に凹んだ装着凹部とを有し、前記取付部は前記装着部を上方に配置した姿勢で、前記充電器を壁に取り付けてもよい。この場合の充電器は壁に取り付けられて使用されるときに装着部が右方、左方、下方、正面側に設けられる場合に比べ、バッテリが装着部から落ちにくい。充電器が壁に取り付けられた状態で装着部が右方又は左方にある場合、ユーザの利き手に因って、バッテリが充電器の装着部から取り出しにくくなる可能性がある。これに対し本態様の充電器は壁に取り付けられた場合のバッテリの装着部は上面側に配置されるのでユーザの利き手によらず、着脱しやすい。
【０００９】
本態様の充電器は、前記装着部の前記第一面から離れる側の端部である第一端部から、前記第四面の前記第一面から離れる側の端部であって、前記第一端部よりも前記第一面側にある第二端部にかけて前記第一面側に傾斜する傾斜部を更に備えてもよい。この場合の
充電器は壁に取り付けられたときのバッテリの装着部は上面側に配置される。本態様の充電器は傾斜部を有する。この為、上下方向に複数の充電器を壁に固定して使用する場合、且つ、充電器間の間隔が比較的狭い場合にも、充電器にバッテリを着脱しやすい。
【００１０】
本態様の充電器の前記装着凹部は、前記第一面側に設けられた載置面と、前記載置面から前記第一面から離れる側に突出する端子と、前記端子よりも前記第一面から離れる側に突出し、前記充電器に対する装着姿勢が誤った状態で前記バッテリを前記装着部に装着しようとした場合に前記バッテリに当接し、前記バッテリが前記端子と接触することを抑制するリブとを備えてもよい。この場合の充電器はリブを有するので、ユーザがバッテリを誤った装着姿勢で装着部に装着することを確実に抑制できる。
【００１１】
本態様の充電器の前記取付部は、前記取付部の一端側に設けられ、壁に設けられた螺子の螺子頭を収容する螺子収容部と、前記取付部の他端側に設けられ、前記螺子収容部に前記螺子頭を案内する案内部とを有する取付穴であってもよい。この場合の充電器では、ユーザは壁に設けられた螺子の螺子頭を取付部の螺子収容部に配置することで、充電器を容易に壁に取り付けできる。
【００１２】
本態様の充電器の前記一端側は前記取付部の前記装着部側であり、前記他端側は前記取付部の前記第四面側であり、前記取付部は、前記装着部から前記第四面に向かう方向に並ぶ２つの前記取付穴を有し、前記２つの取付穴の内の前記第四面側の前記取付穴の前記螺子収容部は、前記装着部側の前記取付穴の前記螺子収容部よりも、前記装着部から前記第四面に向かう方向の長さが長くてもよい。この場合の充電器は、装着部側の取付穴で壁に対する充電器の位置決めを行うことができる。充電器は第四面側の取付穴で充電器が装着部側の取付穴を中心に回転することを防止したり、充電器が壁から離間することを防止したりできる。
【図面の簡単な説明】
【００１３】
【図１】第一姿勢の充電器１を正面側から見た斜視図である。
【図２】第一姿勢の充電器１を底面側から見た斜視図である。
【図３】第一姿勢の充電器１を背面側から見た斜視図である。
【図４】使用態様Ａで使用される２つの充電器１を正面側から見た斜視図である。
【図５】使用態様Ａで使用される２つの充電器１を背面側から見た斜視図である。
【図６】使用態様Ｂで使用される２つの充電器１の平面図である。
【図７】使用態様Ｄで使用される２つの充電器１の左側面図である。
【発明を実施するための形態】
【００１４】
本発明の一実施形態の充電器１を説明する。以下の説明では図中に矢印で示す上下、左右、前後を使用する。充電器１は、携帯可能な印刷装置（図示略）に利用されるバッテリ５を着脱可能に装着し、バッテリ５に充電可能である。充電器１は、１台で使用可能である他、複数の充電器１をケーブル６で互いに接続して使用することもできる。本例のバッテリ５は上下方向に長い直方体状であり、前面の上下方向に延びる左右の端部（稜線部）が面取りされて曲面をなしている（図１参照）。充電器１はＡＣアダプタ（図示略）を介して電源、例えば商用電源から電力を供給される。充電器１は、机等の水平面に載置されて使用される場合の第一姿勢と、壁等の鉛直平面に取り付けられて使用される場合の第二姿勢との各々で使用可能である。以下の説明では図１から図３に示す、充電器１の姿勢が第一姿勢である場合を基準として、充電器１の構成を説明する。
【００１５】
図１に示すように、充電器１は、正面視上下方向に長い矩形状、右側面視Ｌ字状、平面視角が丸みを帯びた矩形状である。充電器１は、第一ケース２、第二ケース３、及び回路基板４を備える。第一ケース２は、右側面視Ｌ字状の、下方が開放した箱状である。第二ケース３は平面視角が丸みを帯びた矩形状であり、上方が開口する箱状である。第二ケース３は、上面に回路基板４を設ける。第一ケース２は、第二ケース３と嵌合する。第一ケース２が第二ケース３と嵌合した場合、第一ケース２は回路基板４を覆う。回路基板４は充電回路等を備え、後述のコネクタ８１、８２、及び端子７４から７６に電気的に接続する。
【００１６】
図１から図３に示すように、充電器１は、第一面１０、取付部２０、第二面３０、係合爪部４０、第三面５０、係合凹部６０、装着部７０、第四面８０、及びコネクタ８１、８２を備える。第一面１０、取付部２０、及び係合爪部４０は、第二ケース３に設けられる。第二面３０、第三面５０、係合凹部６０、装着部７０、及び第四面８０は、第一ケース２及び第二ケース３に設けられる。コネクタ８１、８２は、回路基板４の上面に設けられる。
【００１７】
第一面１０は充電器１の底面であり、平面状である。取付部２０は、第一面１０に設けられ、充電器１を壁に取り付ける為の部位である。図２に示すように、取付部２０は、第一面１０の左右方向の略中央部において、装着部７０から第四面８０に向かう方向（前後方向）に並ぶ２つの取付穴２１、２２を有する。取付穴２１は、取付部２０の一端側（装着部７０側）に設けられ、壁Ｗに設けられた螺子７（図７参照）の螺子頭を収容する螺子収容部２３と、取付部２０の他端側（第四面８０側）に設けられ、螺子収容部２３に螺子頭を案内する案内部２４とを有する。案内部２４の左右方向の長さは、螺子収容部２３の左右方向の長さよりも長い。螺子頭の左右方向の長さは、案内部２４の左右方向の長さよりも短く、螺子収容部２３の左右方向の長さよりも長い。同様に取付穴２２は、螺子収容部２５、案内部２６を有する。２つの取付穴２１、２２の内の第四面８０側の取付穴２２の螺子収容部２５は、装着部７０側の取付穴２１の螺子収容部２３よりも、装着部７０から第四面８０に向かう方向（前後方向）の長さが長い。２つの取付穴２１、２２の内の第四面８０側の取付穴２２の案内部２６は、装着部７０側の取付穴２１の案内部２４よりも、装着部７０から第四面８０に向かう方向（前後方向）の長さが短い。
【００１８】
第一面１０は更に、４つのゴム脚１８と、４つの螺子孔１９を備える。４つのゴム脚１８は各々、底面視円状であり、角が丸みを帯びた矩形状の第一面１０の四隅付近に設けられる。４つのゴム脚１８は各々、充電器１が第一姿勢で使用される場合に、机等の水平面に対して充電器１が滑ることを防止する。４つの螺子孔１９は各々４つのゴム脚１８の近傍に設けられる。より具体的には、４つの螺子孔１９のうちの前側の２つの螺子孔１９は各々ゴム脚１８のやや後方に配置される。４つの螺子孔１９のうちの後ろ側の２つの螺子孔１９は各々ゴム脚１８に対して、充電器１の左右方向の中央よりに配置される。４つの螺子孔１９は充電器１を机等の水平面又は壁等の鉛直平面に固定する際に使用される。
【００１９】
第二面３０は、第一面１０から上方に立設する。第二面３０は、充電器１の左面をなす平面状の面である。係合爪部４０は、第二面３０に設けられ、充電器１に電力を入出力する為のケーブル６（図６参照）を挟持可能な鉤状の部位である。本例の係合爪部４０は第二面３０の前後方向略中央部の下部に設けられた、前後方向に延びる正面視Ｌ字状の部位である。本例の係合爪部４０は、係合爪部４０と第二面３０との間の挟持部４１に上側から下側に差し込んだケーブル６を挟持できる。係合爪部４０は、係合爪部４０の第二面３０と離れる側の左側面に、突起４２を有する。
【００２０】
第三面５０は、第一面１０から立設し、第二面３０と対向する。第三面５０は、充電器１の右面をなす平面状の面である。係合凹部６０は、第三面５０に設け、ケーブル６を係合爪部４０に挟持していない場合に他の充電器１の係合爪部４０と嵌合可能な凹部である。係合凹部６０は、第三面５０の前後方向略中央部の下部に設ける。係合凹部６０は前後方向に延びる、右方に突出する凸部６１を備える。係合凹部６０を他の充電器１の係合爪部４０と嵌合させる場合、ユーザは、嵌合の対象となる係合爪部４０を有する充電器１に対して、係合凹部６０を有する充電器１を移動させ、嵌合の対象となる係合爪部４０を係合凹部６０に差し込む。突起４２は係合凹部６０の凸部６１の上方に配置される。図４に示すように、係合凹部６０を他の充電器１の係合爪部４０と嵌合した場合、嵌合により連結された複数の充電器１の前端は同じ直線Ｌ上に並ぶ。係合爪部４０と嵌合した場合、突起４２は係合凹部６０の凸部６１と係合し、ユーザが一方の充電器１を上方に持ち上げた場合にも、係合爪部４０と係合凹部６０との嵌合が解除されない。係合凹部６０と他の充電器１の係合爪部４０との嵌合を解除する場合、ユーザは、係合凹部６０を有する充電器１に対して、係合爪部４０を有する充電器１を右下側に移動させ、突起４２と凸部６１との係合を解除し、係合凹部６０から係合爪部４０を抜き出す。
【００２１】
装着部７０は、第二面３０と第三面５０との間に設けられ、バッテリ５を着脱可能である。装着部７０は、第五面７１と、装着凹部７２とを備える。第五面７１は、第一面１０から立設し、第四面８０と対向する。第五面７１は、充電器１の前面をなす。第五面７１は、充電器１の下部においては、第一面１０に対して略垂直であり、後述の壁部６９の上端部より上側では、上側ほど後方になるように緩やかに傾斜する。装着凹部７２は、第五面７１に設けられ、第四面８０側に凹む凹部である。第五面７１には更に、ＬＥＤ６８が設けられる。
【００２２】
装着凹部７２は、バッテリ５の外形よりもやや大きく、バッテリ５が装着された場合にバッテリ５の形状と略対応するように凹設されている。装着凹部７２は、壁部６９、載置面７３、端子７４から７６、リブ７７、７８、押え部７９を備える。壁部６９は、装着凹部７２の第一面１０側（下側）に設けられ、装着部７０にバッテリ５が装着された場合に、バッテリ５の前面下部と対向する部位である。壁部６９は、第二ケース３に設けられる。載置面７３は装着凹部７２の第一面１０側（下側）に設けられた面である。端子７４から７６は各々、載置面７３から第一面１０から離れる側（上側）に突出する。端子７４から７６は導電性のワイヤを左側面視三角形状に折り曲げた形状を有する。端子７４から７６は、左右方向に略等間隔で並ぶ。バッテリ５が装着部７０に装着された場合、端子７４から７６はバッテリ５が備える端子（図示略）に接触し、バッテリ５に電力を供給する接点となる。リブ７７、７８は、端子７４から７６よりも第一面１０から離れる側（上側）に突出する。本例のリブ７７、７８は、壁部６９の左右方向の端部に設けられる。
【００２３】
本例のバッテリ５は、充電器１に対する装着姿勢が正しい場合、即ち、バッテリ５が備える端子（図示略）が下側に配置され、且つ、左右の端部が面取りされた面が前を向いた姿勢の場合、バッテリ５はリブ７７、７８に当接することなく、装着部７０に配置され得る（図４〜図６参照）。一方、充電器１に対する装着姿勢が誤っている場合、即ち、左右の端部が面取りされていない面が前を向いた姿勢の場合、バッテリ５の前側の面取りされていない左右の端部がリブ７７、７８に当接する。この為、バッテリ５はリブ７７、７８の上端の位置よりも下方に移動することが規制され、装着部７０に正しく装着できない。よって、バッテリ５の端子は端子７４から７６と接触しない。
【００２４】
押え部７９は装着凹部７２の第一面１０から離れる側（上側）に設けられた部位であり、載置面７３と対向する。押え部７９は、装着部７０に装着されたバッテリ５の上端部と当接し、装着部７０に装着されたバッテリ５が上下方向に移動することを規制する。ＬＥＤ６８は、第五面７１の左下方に設けられる。ＬＥＤ６８は、装着部７０に装着されたバッテリ５の充電状況を示す。ＬＥＤ６８は、回路基板４に搭載された制御部によって制御される。
【００２５】
第四面８０は、第一面１０から立設し、第二面３０と第三面５０との間に設けられる。コネクタ８１、８２は、第四面８０の左右方向中央部を挟んで左右方向に並んで設けられ、ケーブル６と接続可能である。コネクタ８１、８２は、第二ケース３側に設けられ、回路基板４と電気的に接続されている。コネクタ８１は第四面８０の左右方向中央部やや左側に設けられた入力用のコネクタである。コネクタ８２は第四面８０の左右方向中央部やや右側に設けられた出力用のコネクタである。
【００２６】
本例の充電器１は更に傾斜部９０を備える。傾斜部９０は、装着部７０の第一面１０から離れる側（上側）の端部である第一端部９１から、第四面８０の第一面１０から離れる側（上側）の端部であって、第一端部９１よりも第一面１０側にある第二端部９２にかけて第一面１０側に傾斜する。つまり、傾斜部９０は、装着部７０の第五面７１とは反対側（後ろ側）に設けられた、第一端部９１から第二端部９２にかけて傾斜する部分である。第一端部９１の前後方向の位置は、充電器１の前後方向中央部よりもやや前方にある。図１に示すように、第一面１０から第二端部９２までの第一距離Ｄ１と、第一面１０から装着部７０の壁部６９の上端までの第二距離Ｄ２とはほぼ同じである。第一距離Ｄ１は、第二端部９２から第一端部９１までの上下方向の第三距離Ｄ３よりも小さい。
【００２７】
複数の充電器１を互いにケーブル６で電気的に接続して使用する場合の使用方法を説明する。複数の充電器１が電気的に接続されて使用される場合の接続可能な充電器１の個数の上限は、適宜設定されてもよく、例えば、１０個である。ユーザは充電器１を第一姿勢で使用する場合、図４に示すように、複数の充電器１を係合爪部４０と、係合凹部６０とで連結し、コネクタ８１、８２をケーブル６で接続して用いることができる（使用態様Ａ）。この場合、ユーザから近い側を第五面７１とするように配置し、ユーザから遠い側を第四面８０とすることで、ユーザはバッテリ５を装着部７０に着脱しやすい。図５に示すように、コネクタ８１、８２に接続されたケーブル６は背面に集約される。
【００２８】
ユーザは充電器１を第一姿勢で使用する場合、複数の充電器１を係合爪部４０と、係合凹部６０とで連結せずに、図６に例示するように、所望の間隔及び配置とし、コネクタをケーブル６で接続して用いることもできる（使用態様Ｂ）。ユーザは、コネクタの規格が同じであれば、他の充電器とケーブル６で接続することもできる。これらの場合、ケーブル６を係合爪部４０に挟むことで、ケーブル６を充電器１の周囲に容易に固定できる。図６に示すように、コネクタ８１、８２に接続されたケーブル６が係合爪部４０に挟まれた場合、ケーブル６はユーザがバッテリ５を着脱する際の妨げにならない。本例の充電器１は第一面１０に螺子孔１９を有するので、ユーザは充電器１の位置がズレないように平板等に充電器１を螺子で固定することもできる。
【００２９】
充電器１を第二姿勢で使用する場合、ユーザは、使用態様Ａと同様に、複数の充電器１を係合爪部４０と、係合凹部６０とで連結し、ケーブル６で接続した状態で、複数の充電器１の各々を壁に取り付けて使用することができる（使用態様Ｃ）。この場合、取付部２０に対応する位置となる壁に設けた螺子を各々、取付穴２１、２２の案内部２４、２６に挿入することで、複数の充電器１を連結した状態で壁に取り付けられる。この場合、上方に装着部７０の第五面７１が配置され、下方に第四面８０が配置される。装着部７０の先端には押え部７９が設けられている為、第二姿勢の充電器１にバッテリ５が装着された場合に、バッテリ５が水平方向に移動することが規制される。コネクタ８１、８２に接続されたケーブル６は下方に集約される。第二姿勢の充電器１は、装着部７０が先端側（第一面１０から離れる側）ほど下側となるように水平面に対して傾く。
【００３０】
充電器１を第二姿勢で使用する場合、複数の充電器１を係合爪部４０と、係合凹部６０とで連結せずに、所望の間隔及び配置とし、ケーブル６で電気的に接続して用いることができる（使用態様Ｄ）。図７に示すように、例えば、ユーザは複数の充電器１を上下方向に並べて使用できる。取付部２０に対応する位置となる壁Ｗに設けた螺子７、８を各々、取付穴２１、２２の案内部２４、２６に挿入することで、複数の充電器１を所望の間隔及び配置とした状態で壁Ｗに取り付けられる。ケーブル６は必要に応じて係合爪部４０に挟まれ、ケーブル６を充電器１の周囲に固定される。本例の充電器１は第一面１０に螺子孔１９を有するので、取付部２０を用いずに、平板等を壁として、充電器１を螺子で固定することもできる。ユーザは、使用態様Ａ、使用態様Ｂ、使用態様Ｃ及び使用態様Ｄを適宜組み合わせることもできる。
【００３１】
充電器１、第一面１０、取付部２０、第二面３０、係合爪部４０、第三面５０、係合凹部６０、装着部７０、及び第五面７１は各々、本発明の充電器、第一面、取付部、第二面、係合爪部、第三面、係合凹部、装着部、及び第五面の一例である。装着凹部７２、載置面７３、第四面８０、傾斜部９０、第一端部９１、及び第二端部９２は各々、本発明の装着凹部、載置面、第四面、傾斜部、第一端部、及び第二端部の一例である。取付穴２１、２２は、本発明の２つの取付穴の一例である。螺子収容部２３、２５は、本発明の螺子収容部の一例である。案内部２４、２６は、本発明の案内部の一例である。端子７４から７６は、本発明の端子の一例である。リブ７７、７８は本発明のリブの一例である。コネクタ８１、８２は、本発明のコネクタの一例である。
【００３２】
充電器１は、使用態様Ａ、Ｃのように、隣合う充電器１の係合爪部４０と係合凹部６０とを嵌合させるという簡単な操作で、複数の充電器１を連結方向に連結できる。充電器１は、突起４２を有する為、複数の充電器１を係合爪部４０と係合凹部６０とで嵌合させて連結した状態で、１つの充電器１を持ち上げても、嵌合が解除されることがない。この為、ユーザは、係合爪部４０と係合凹部６０とを嵌合させて複数の充電器１を連結させた場合、複数の充電器１を一体的に取り扱うことができる。
【００３３】
ユーザは、使用態様Ｂ、Ｄのように、複数の充電器１を係合爪部４０と係合凹部６０とを嵌合させず任意の位置に配置してケーブル６で接続する場合、ケーブル６を係合爪部４０に挟持させることで、ケーブル６の位置を充電器１の周囲に固定できる。ユーザは充電器１の周囲にケーブル６を固定する場合、ケーブル６を係合爪部４０に挟むという簡単な作業を行うのみでよい。この作業は、使用態様Ｂであれば、ユーザは充電器１を机等の水平面に置いたまま行うことができ、使用態様Ｄでは、充電器１を壁等の鉛直平面に取り付けたまま行うことができる。充電器１は第一面１０に取付部２０を有するので、図７に示す使用態様Ｄのように、第一面１０を壁Ｗ側にした第二姿勢で、壁Ｗに取り付けて使用できる。第一面１０は平面状であるので、ユーザは、図４から図６に示すように、充電器１を机等の水平面に置いた第一姿勢で使用することもできる。ユーザは、所望の配置及び姿勢で複数の充電器１をケーブル６で接続して使用可能である。つまり、充電器１は、複数の充電器１同士をケーブル６で接続して利用する場合のユーザの利便性を向上できる。
【００３４】
充電器１の装着部７０は、第一面１０から立設し、第四面８０と対向する第五面７１と、第五面７１に設けられ、第四面８０側に凹んだ装着凹部７２とを有する。図７に示すように、取付部２０は装着部７０を上方に配置した姿勢で、充電器１を壁Ｗに取り付け可能である。それ故、充電器１は、壁Ｗに取り付けられて使用される場合に装着部７０が右方、左方、下方、正面側に設けられる場合に比べ、バッテリ５が装着部７０から落ちにくい。充電器が壁Ｗに取り付けられた状態で装着部が右方又は左方にある場合、ユーザの利き手に因って、バッテリ５が充電器の装着部から取り出しにくくなる可能性がある。これに対し充電器１は壁Ｗに取り付けられた場合のバッテリ５の装着部７０は上面側に配置されるのでユーザは利き手によらずバッテリ５を着脱しやすい。
【００３５】
充電器１は、第一端部９１から、第二端部９２にかけて第一面１０側に傾斜する傾斜部９０を備える。充電器１は壁Ｗに取り付けられた場合、装着部７０が上面側に配置される。図７に示すように、充電器１は、上下方向に複数の充電器１を壁Ｗに固定して使用する場合、且つ、充電器１間の間隔が比較的狭い場合にも、ユーザが充電器１を着脱するのに必要な空間（指が入る程度の空間）を確保でき、バッテリ５を装着部７０に着脱しやすい。ケーブル６を係合爪部４０に挟むことで、ケーブル６を充電器１の周囲に固定でき、ケーブル６がバッテリ５を装着部７０に着脱するときに邪魔になることを抑制できる。
【００３６】
充電器１の装着凹部７２は、載置面７３と、端子７４から７６と、リブ７７、７８を備える。載置面７３は、装着凹部７２の第一面１０側に設けられる。端子７４から７６は、載置面７３から第一面１０から離れる側に突出する。リブ７７、７８は、端子７４から７６よりも第一面１０から離れる側に突出する。リブ７７、７８は、充電器１に対する装着姿勢が誤った状態でバッテリ５を装着部７０に装着しようとした場合にバッテリ５に当接し、バッテリ５が端子７４から７６と接触することを抑制する。充電器１はリブ７７、７８を有するので、ユーザがバッテリ５を誤った装着姿勢で装着部７０に装着することを確実に抑制できる。リブ７７、７８は、バッテリ５が装着部７０に装着された場合の、バッテリ５がバッテリ５の厚み方向に移動することを規制できる。
【００３７】
充電器１の取付部２０は、螺子収容部２３と案内部２４とを有する取付穴２１である。ユーザは、図７に示すように、壁Ｗに設けられた螺子７の螺子頭を取付部２０の螺子収容部２３に配置することで、充電器１を容易に壁Ｗに取り付けることができる。
【００３８】
充電器１の取付部２０は、装着部７０から第四面８０に向かう方向に並ぶ２つの取付穴２１、２２を有する。２つの取付穴２１、２２の内の第四面８０側の取付穴２２の螺子収容部２５は、装着部７０側の取付穴２１の螺子収容部２３よりも、装着部７０から第四面８０に向かう方向の長さが長い。ユーザは、２つの螺子７、８の螺子頭を取付穴２１、２２の各々に挿入しやすい。充電器１は、装着部７０側の取付穴２１で壁Ｗに対する充電器１の位置決めを行うことができる。充電器１は第四面８０側の取付穴２２で充電器１が装着部７０側の取付穴２１を中心に回転することを防止したり、充電器１が壁Ｗから離間することを防止したりできる。充電器１はゴム脚１８を有するので、充電器１が壁Ｗに取り付けられた場合に、充電器１の第一面１０が壁Ｗと接触して、壁Ｗを傷つけたり、騒音を発生したりすることを抑制できる。
【００３９】
本発明の充電器は、上記した実施形態に限定されるものではなく、本発明の要旨を逸脱しない範囲内において種々変更が加えられてもよい。例えば、以下の（Ａ）から（Ｃ）までの変形が適宜加えられてもよい。
【００４０】
（Ａ）充電器１の構成は適宜変更してよい。充電器１に装着されるバッテリ５の用途、大きさ、形状等は適宜変更されてよい。第一ケース２と第二ケース３との構成は適宜変更されてよい。例えば、第一ケース２が有していた構成要素を、第二ケース３が有してもよいし、第二ケース３が有していた構成要素を、第一ケース２が有してもよい。
【００４１】
（Ｂ）充電器１は、装着部７０を第一面１０と対向する上面側に設けてもよい。第四面８０に装着部７０が設けられてもよい。充電器１は、ゴム脚１８、螺子孔１９を備える必要はない。充電器１は充電器１を壁に取り付ける為の取付部として１以上の螺子孔１９を備えてもよい。充電器１は、取付部として１つの取付穴２１のみを備えてもよいし、３以上の取付穴を備えてもよい。充電器１は、取付部として２つの取付穴２１、２２を備える場合、螺子収容部２３の装着部７０から第四面８０に向かう方向の長さは、螺子収容部２５の同方向の長さ以上でもよい。充電器１が取り付けられる壁は、鉛直平面である必要はなく、傾斜した平面であってもよい。また、壁の代わりとして平板又は支柱を立設し、充電器１を平板又は支柱に取り付けるようにしてもよい。
【００４２】
（Ｃ）充電器１は、傾斜部９０を備えなくてもよい。充電器１が傾斜部９０を備える場合、傾斜部９０の形状は適宜変更されてよい。係合爪部４０の形状、延設方向は適宜変更されてよい。係合爪部は、例えば、充電器１が第一姿勢で使用される場合において、係合爪部は下方が開放された鉤状であってもよい。端子７４から７６の形状、数等は適宜変更されてよい。装着部７０は、リブ７７、７８を設けなくてもよい。装着部７０はリブ７７、７８を備える場合、装着部７０に装着されるバッテリ５の形状に応じて、リブ７７、７８の数、形状、配置を適宜変更してよい。
【符号の説明】
【００４３】
１：充電器、１０：第一面、２０：取付部、２１、２２：取付穴、２３、２５：螺子収容部、２４、２６：案内部、３０：第二面、４０：係合爪部、５０：第三面、６０：係合凹部、７０：装着部、７１：第五面、７２：装着凹部、７３：載置面、７４から７６：端子、７７、７８：リブ、８０：第四面、８１、８２：コネクタ、９０：傾斜部、９１：第一端部、９２：第二端部
【図１】
0006614046.tif 000002
【図２】
0006614046.tif 000003
【図３】
0006614046.tif 000004
【図４】
0006614046.tif 000005
【図５】
0006614046.tif 000006
【図６】
0006614046.tif 000007
【図７】
0006614046.tif 000008